(57)【要約】      （修正有）【課題】ボタン飾りなどに用いる装飾品において、操作が容易で、挟み込むことが可能な対象物の寸法の許容範囲を広く設定する。【解決手段】少なくとも衣類のボタンに留め付け可能な装飾品１である。一対の挟持部３１，３２を備え、一方の挟持部３１には切欠部が形成されている。ボタンの留め糸を切欠部の両側部分により跨ぐように挟持部３１をボタンと生地の間に差し込んだ状態で、挟持部３１，３２によりボタンを挟持して留め付け可能である。挟持部３１，３２の一方ずつを有する挟持体２，３と、挟持体２，３を相互に軸支する軸支部７と、挟持部３１，３２により挟持させるべく付勢する付勢部材４を備える。挟持体２，３において挟持部３１，３２とは反対側の部分は操作部１３，１４を構成し、これらを互いに近づける操作により、挟持部３１，３２を開くことができる。【選択図】図１
0003140633.tif 000002
【実用新案登録請求の範囲】
【請求項１】
少なくとも衣類のボタンに留め付け可能な装飾品において、
一対の挟持部を備え、
一方の挟持部には切欠部が形成されており、
前記ボタンの留め糸における前記ボタンと衣類の生地とを繋ぐ部分を前記切欠部の両側部分により跨ぐようにして、前記一方の挟持部を前記ボタンと生地との間に差し込んだ状態で、前記一対の挟持部によって前記ボタンを挟持することにより、当該装飾品を前記ボタンに留め付け可能に構成され、
前記一対の挟持部の一方ずつをそれぞれ有する一対の挟持体と、
前記一対の挟持体を相互に回動可能に軸支する軸支部と、
前記一対の挟持部により前記ボタンを挟持させるべく前記一対の挟持部を相互に付勢する付勢部材と、
を備え、
前記一対の挟持体において、前記軸支部を中心として前記挟持部とは反対側の部分は、使用者により操作される操作部を構成し、
一対の前記操作部を互いに近づけるように操作することにより、前記一対の挟持部を互いに遠ざけることが可能に構成されていることを特徴とする装飾品。
【請求項２】
少なくとも何れか一方の挟持部の先端部を他方の挟持部側に向けて反り返った形状又は折り曲げた形状としたことにより、前記一対の挟持部を閉じた状態で、前記先端部よりも前記軸支部側の部分において前記一対の挟持部の間に空間が形成されるように構成されていることを特徴とする請求項１に記載の装飾品。
【請求項３】
前記空間に前記ボタンを収容可能であることを特徴とする請求項２に記載の装飾品。
【考案の詳細な説明】
【技術分野】
【０００１】
本考案は装飾品に関する。
【背景技術】
【０００２】
近年、クールビズと呼ばれる新たなファッション形態が生まれた。
【０００３】
周知のように、クールビズにおいては、Ｙシャツを着用する場合にもネクタイを着けないことが多いため、首元などの装飾性を確保することが困難である。
【０００４】
このため、クールビズなどの装いにおける装飾性を確保するための装飾品へのニーズが高まっている。
【０００５】
本願と関連する従来の技術としては、例えば、以下の２つのものがある。
【０００６】
実登３１２７８０１号公報には、ボタンを覆う装飾部材と、二股状部分を有するボタン受け部材と、を相互に折りたたみ可能に連結する軸支部と、ボタン受け部材を装飾部材側に付勢するバネ板と、を備え、二股状部分によりボタンの留め糸を跨いだ状態でボタン受け部材と装飾部材とによりボタンを挟持するようにしたボタン装飾品が開示されている。
【０００７】
特開２００２−７８５１４号公報には、ボタンを覆う装飾部材と、装飾部材と一体的に設けられた板状バネ部材と、を備え、板状バネ部材は、装飾部材の裏面から起立するように該裏面に立設された第１部分と、この第１部分の先端部から屈曲するように形成されて装飾部材の裏面に沿わされた第２部分と、からなり、この板状バネ部材の第２部分が二股状部分を有し、二股状部分によりボタンの留め糸を跨いだ状態で、板状バネ部材の第２部分と装飾部材とによりボタンを挟持するようにしたボタン装飾品が開示されている。
【考案の開示】
【考案が解決しようとする課題】
【０００８】
しかしながら、実登３１２７８０１号の技術では、ボタン装飾品をボタンに留め付けるには、少なくとも、（１）例えば両手を使って装飾部材とボタン受け部材とを開く作業、（２）ボタン受け部材の二股状部分をボタンの留め糸に対して位置合わせする作業、（３）ボタン受け部材と装飾部材とを閉じる作業、の３つの作業を行う必要があり、留め付け作業が容易でないという問題があった。
【０００９】
また、特開２００２−７８５１４号公報の技術では、構造上、挟み込むことが可能なボタンの厚みの許容範囲が小さいという問題があった。
【００１０】
本考案は以上のような問題点に鑑みてなされたものであり、ボタン飾り或いはその他の用途として用いることが可能な装飾品において、簡単な操作で使用することができ、且つ、挟み込むことが可能な対象物の寸法の許容範囲を広く設定することが可能な装飾品を提供することを目的とする。
【課題を解決するための手段】
【００１１】
上記の目的を達成するため、本考案の装飾品は、少なくとも衣類のボタンに留め付け可能な装飾品において、一対の挟持部を備え、一方の挟持部には切欠部が形成されており、前記ボタンの留め糸における前記ボタンと衣類の生地とを繋ぐ部分を前記切欠部の両側部分により跨ぐようにして、前記一方の挟持部を前記ボタンと生地との間に差し込んだ状態で、前記一対の挟持部によって前記ボタンを挟持することにより、当該装飾品を前記ボタンに留め付け可能に構成され、前記一対の挟持部の一方ずつをそれぞれ有する一対の挟持体と、前記一対の挟持体を相互に回動可能に軸支する軸支部と、前記一対の挟持部により前記ボタンを挟持させるべく前記一対の挟持部を相互に付勢する付勢部材と、を備え、前記一対の挟持体において、前記軸支部を中心として前記挟持部とは反対側の部分は、使用者により操作される操作部を構成し、一対の前記操作部を互いに近づけるように操作することにより、前記一対の挟持部を互いに遠ざけることが可能に構成されていることを特徴としている。
【００１２】
本考案の装飾品においては、少なくとも何れか一方の挟持部の先端部を他方の挟持部側に向けて反り返った形状又は折り曲げた形状としたことにより、前記一対の挟持部を閉じた状態で、前記先端部よりも前記軸支部側の部分において前記一対の挟持部の間に空間が形成されるように構成されていることが好ましい。
【００１３】
この場合、前記空間に前記ボタンを収容可能であることが好ましい。
【考案の効果】
【００１４】
本考案によれば、ボタンの留め糸におけるボタンと衣類の生地とを繋ぐ部分を切欠部の両側部分により跨ぐようにして、一方の挟持部をボタンと生地との間に差し込んだ状態で、一対の挟持部によって前記ボタンを挟持することにより、装飾品をボタンに留め付け可能に構成され、挟持部の一方ずつをそれぞれ有する一対の挟持体と、これら挟持体を相互に回動可能に軸支する軸支部と、一対の挟持部によりボタンを挟持させるべく一対の挟持部を相互に付勢する付勢部材と、を備え、一対の挟持体において軸支部を中心として前記挟持部とは反対側の部分は使用者により操作される操作部を構成し、一対の操作部を互いに近づけるように操作することにより、一対の挟持部を互いに遠ざけることが可能に構成されているので、操作部を操作することにより挟持部を開くことができ、操作部に対する操作を解除することにより付勢部材の付勢に従って挟持部を閉じさせて、該挟持部により挟持対象部位を挟み込むことができる。
【００１５】
よって、例えば、挟持部を開くための作業を片手で容易に行うことができ、引き続き、一方の挟持部をボタンと生地との間に差し込む作業へとスムーズに移行することができ、且つ、操作部に対する操作を解除するだけで、挟持部によりボタンを挟持することができる。
【００１６】
また、操作部に対する操作に連動して挟持部が開く構造であるため、挟み込むことが可能な対象物の寸法の許容範囲を広く設定することができる。
【考案を実施するための最良の形態】
【００１７】
以下、図面を参照して、本考案に係る実施形態について説明する。
【００１８】
図１は本実施形態に係る装飾品１を示す側面図、図２は装飾品１を裏面から見た図（図１における下側から見た図）、図３は装飾品１を正面から見た図（図１における左側から見た図）、図４は装飾品１を上側から見た図（図１における上側から見た図）である。
【００１９】
本実施形態に係る装飾品１は、例えば、一対の挟持体２，３と、これら挟持体２，３を相互に回動可能に軸支する軸支体（軸支部を構成する）７と、バネ（付勢部材）４と、を備えて構成されている。
【００２０】
挟持体２，３は、使用者により操作される操作部１３，１４と、軸支体７を中心として操作部１３，１４とは反対側の部分を構成する挟持部３１，３２と、を備えている。
【００２１】
すなわち、装飾品１は、一対の挟持部３１，３２と、一対の操作部１３，１４と、を備えている。
【００２２】
更に、挟持体２，３には、軸支体７を軸受けする軸受片６，５が形成されている。
【００２３】
すなわち、図１及び図３に示すように、上側の挟持体３には、下側の挟持体２に向けて垂下する一対の軸受片５が、互いに平行に形成され、同様に、下側の挟持体２には、上側の挟持体３に向けて起立する一対の軸受片６が、互いに平行に形成されている。
【００２４】
そして、これら合計４つの軸受片５，６の軸受け孔に、例えばピン状の軸支体７を通すことにより、挟持体２，３が相互に回動可能に軸支されている。
【００２５】
なお、後述するように、軸支体７は、バネ４の挿通部１６にも通されている。
【００２６】
一対の挟持部３１，３２のうちの一方の挟持部３１には、図２に示すように、切欠部８が形成されている。これにより、挟持部３１は、二股状となり、一対の支部９を有した構成となっている。なお、切欠部８の形状は、Ｖ字状ないしはＵ字状であることが好ましい。
【００２７】
図１及び図３に示すように、挟持部３１の支部９における先端部１１は、それぞれ、挟持部３２側に向けて反り返るように起立している。これにより、挟持部３２と挟持部３１とが閉じた状態において、挟持部３１と挟持部３２との間に空間１２が形成されるようになっている。なお、空間１２を形成するための挟持部３１の形状は、この例に限らず、例えば、断面Ｌ字状などの形状に折り曲げ形成しても良い。また、挟持部３１ではなく挟持部３２の先端部を挟持部３１側に向けて反り返り形状又は折り曲げ形状としても良いし、挟持部３１，３２の双方の先端部を互いの方向に向けて反り返り形状又は折り曲げ形状としても良い。
【００２８】
この空間１２は、例えば、Ｙシャツなどのボタンであって一般的な寸法のものを内部に収容可能な寸法・形状に設定されている。
【００２９】
挟持体３の形状の一例としては、例えば、図４に示すように、平面視楕円形であることが挙げられるが、挟持部３２、操作部１４及び軸受片５を有していれば、挟持体３はどのような形状であっても良い。
【００３０】
なお、装飾品１をボタン飾りとして用いる場合、挟持体２，３のうち、挟持体２は裏側に、挟持体３は表側に、それぞれ配置されるため、挟持体３は、ボタンを覆うような寸法・形状に設定されている。
【００３１】
また、挟持体２の形状の一例としては、例えば、図２に示すように、平面視において、挟持体３よりも若干寸法が小さい楕円形であることが挙げられるが、挟持体２についても、挟持部３１、操作部１３及び軸受片６を有していれば、どのような形状であっても良い。
【００３２】
なお、本実施形態の場合、挟持体２，３において、互いの方向を向く面は、例えば、凹面状に設定されている。このため、図１に示すように、バネ４の一部（例えば、後述する第１付勢部１７の一部と第２付勢部１８の一部）は、側面視において、挟持体２，３における操作部１３，１４内に隠れた状態となっている。なお、挟持体２，３における互いの方向を向く面は、凹面状でなく、平面状でも良い。この場合、バネ４の一部は操作部１３，１４内に隠れない。
【００３３】
挟持体２，３は、それぞれ装飾性のあるデザインのものであることが好ましい。
【００３４】
装飾品１には、様々な装飾を施すことが可能である。具体的には、本実施形態の場合、図２に示すように、挟持体２の操作部１３に透かし彫りを施した例を示している。装飾品１には、その他の装飾を施すことも可能であり、例えば、装飾品１における何れかの部位に宝飾品や貴金属を設けたり、彫刻を施したりすることもできる。
【００３５】
なお、挟持体２，３は、例えば、金属からなることが挙げられるが、挟持体２，３の材質はその他（例えば樹脂など）であっても良い。
【００３６】
図５はバネ４の斜視図である。
【００３７】
バネ４は、例えば、図５に示すように、弾性体からなる１本の線材１５（例えば、金属の線材）を屈曲形成したものであり、軸支体７が内部に挿通される挿通部１６（例えば、図５に示すように、一対の挿通部１６）と、操作部１４における操作部１３側の面を該操作部１３から遠ざかる方向に付勢する第１付勢部１７と、操作部１３における操作部１４側の面を該操作部１４から遠ざかる方向に付勢する第２付勢部１８（例えば、図５に示すように、一対の第２付勢部１８）と、を備えて構成されている。なお、挿通部１６は、例えば、線材１５を複数回巻回することにより構成されている。
【００３８】
軸支体７は、バネ４の挿通部１６に通された状態で、その両端部が軸受け片５，６の軸受け孔により軸受けされることにより、挟持体２，３を軸支している。
【００３９】
また、このように軸支体７により挟持体２，３を軸支することによって装飾品１を組み立てた状態においては、バネ４は、その第１付勢部１７と第２付勢部１８とが互いに近づくように操作部１３，１４により圧縮されている。このため、バネ４によって一対の挟持部３１，３２が相互に付勢された状態とされている。
【００４０】
なお、バネ４としては、その他の形状のものを用いても良いのは勿論である。
【００４１】
また、軸受片６どうしの間隔は、軸受片５どうしの間隔よりも僅かに短く設定されている。これにより、装飾品１を組み立てた状態においては、一対の軸受片６が一対の軸受片５の間隔に嵌め込まれている。
【００４２】
次に、動作を説明する。
【００４３】
図６乃至図８は装飾品１の動作を説明するための図であり、このうち図６は一対の挟持部３１，３２を開いた状態を示す側面図、図７は挟持部３１を衣類のボタン２３と生地２４との間に差し込んだ状態を示す側面図、図８は挟持部３１，３２によりボタン２３を挟持することにより装飾品１をボタン２３に留め付けた状態を示す側面図である。
【００４４】
装飾品１は、通常時においては、例えば、図１に示すように、挟持部３１の先端部１１が挟持部３２に突き当たるように、バネ４により挟持部３１と挟持部３２とが相互に付勢された状態となる。
【００４５】
装飾品１の操作部１３，１４に対する操作を行うことに連動して、挟持部３１，３２が開閉する。
【００４６】
すなわち、挟持部３１，３２を開くには、図６に示すように、例えば、２本の指により、操作部１３，１４をバネ４の付勢力に抗して相互に近づけるように押圧操作する。すなわち、この押圧操作により、軸支体７を回動軸として一対の挟持体２，３が相対的に回動し、挟持部３１，３２が開く（互いに遠ざかる）。
【００４７】
逆に、この押圧操作を解除すると、バネ４の付勢力に従って操作部１３，１４が互いに遠ざかるのに伴い軸支体７を回動軸として一対の挟持体２，３が相対的に回動し、挟持部３１，３２が閉じる。よって、挟持部３１，３２により留め付け部位（衣類のボタンなど）を挟み込ませることにより、装飾品１を留め付け部位に留め付けることができる。
【００４８】
例えば、Ｙシャツなどのボタンに装飾品１を留め付けるには、先ず、図７に示すように、操作部１３，１４を操作することにより挟持部３１，３２を開いた状態で、ボタン２３の留め糸（ボタン２４を生地に留め付ける糸）におけるボタン２３と生地２４とを繋ぐ部分を挟持部３１における一対の支部９により跨ぐようにして、挟持部３１をボタン２３と生地２４との間に差し込む。その後、操作部１３，１４に対する操作を解除することにより、図８に示すように挟持部３１，３２によりボタン２３を挟持させる。
【００４９】
このように装飾品１をボタン２３に留め付けることにより、該装飾品１をボタン飾りとして用いることができる。
【００５０】
なお、装飾品１をボタン飾りとして用いる場合、ボタン穴（図示略）に通されたボタンに対しても、通されていないボタンに対しても、それぞれ好適に留め付けることができる。
【００５１】
装飾品１の用途としては、上記のようなボタン飾りの他に、シャツなどの襟元、袖口、或いは胸ポケットの上辺などに留め付けて、それぞれの部位を装飾することが挙げられる。
【００５２】
更に、ネックレスなどの線状装飾品に留め付けることにより、ペンダントとして用いることもできる。
【００５３】
更には、挟持部３１，３２によって紙幣を挟持することにより、マネークリップとして用いたり、メモ紙を挟持することによりメモクリップとして用いることもできる。
【００５４】
以上のような実施形態によれば、操作部１３，１４を操作することにより挟持部３１，３２を開くことができ、操作部１３，１４に対する操作を解除することによりバネ４の付勢に従って挟持部３１，３２を閉じさせて、該挟持部３１，３２により挟持対象部位を挟み込むことができる。
【００５５】
よって、挟持部３１，３２を開くための作業を片手で容易に行うことができ、引き続き、一方の挟持部３１をボタン２３と生地２４との間に差し込む作業へとスムーズに移行することができ、且つ、操作部１３，１４に対する操作を解除するだけで、挟持部３１，３２によりボタン２３を挟持することができる。
【００５６】
また、操作部１３，１４に対する操作に連動して挟持部３１，３２が開く構造であるため、挟み込むことが可能な対象物の寸法の許容範囲を広く設定することができる。すなわち、挟み込むことが可能なボタンのサイズの許容範囲を広く設定したり、挟み込むことが可能な布地や紙束などの厚みの許容範囲を広く設定できる。
【図面の簡単な説明】
【００５７】
【図１】実施形態に係る装飾品を示す側面図である。
【図２】実施形態に係る装飾品を裏面から見た図である。
【図３】実施形態に係る装飾品を正面から見た図である。
【図４】実施形態に係る装飾品を上側から見た図である。
【図５】実施形態に係る装飾品が備えるバネを示す斜視図である。
【図６】実施形態に係る装飾品の挟持部を開いた状態を示す側面図である。
【図７】実施形態に係る装飾品の一方の挟持部を衣類のボタンと生地との間に差し込んだ状態を示す側面図である。
【図８】実施形態に係る装飾品を衣類のボタンに留め付けた状態を示す側面図である。
【符号の説明】
【００５８】
１    装飾品
２    挟持体
３    挟持体
４    バネ（付勢部材）
７    軸支体（軸支部を構成する）
１１  先端部
１３  操作部
１４  操作部
３１  挟持部（一方の挟持部）
３２  挟持部
【図１】
0003140633.tif 000003
【図２】
0003140633.tif 000004
【図３】
0003140633.tif 000005
【図４】
0003140633.tif 000006
【図５】
0003140633.tif 000007
【図６】
0003140633.tif 000008
【図７】
0003140633.tif 000009
【図８】
0003140633.tif 000010